(57)【要約】【課題】異常が発生したことをユーザに通知することができる照明装置を提供する。【解決手段】照明装置１００は、発光部２２と、発光部２２に電力供給を行う電源回路２３と、電源回路２３によって発光部２２に電力供給が行われているときに発光部２２の異常を検知するための異常検知処理を行う制御部２４と、異常検知処理の結果に基づいて、発光部２２の異常を示す異常情報及び発光部２２の正常を示す正常情報の少なくとも一方を送信する無線通信部２５とを備える。制御部２４は、無線通信部２５が無線通信に失敗した場合に、電源回路２３を制御することにより発光部２２を所定の態様で発光させる。【選択図】図５
2018010733.tif 000002
【特許請求の範囲】
【請求項１】
発光部と、
前記発光部に電力供給を行う電源回路と、
前記電源回路によって前記発光部に電力供給が行われているときに前記発光部の異常を検知するための異常検知処理を行う制御部と、
前記異常検知処理の結果に基づいて、前記発光部の異常を示す異常情報及び前記発光部の正常を示す正常情報の少なくとも一方を送信する無線通信部とを備え、
前記制御部は、前記無線通信部が無線通信に失敗した場合に、前記電源回路を制御することにより前記発光部を所定の態様で発光させる
照明装置。
【請求項２】
前記制御部は、前記電源回路に異常検知用の電力供給を行わせ、前記異常検知用の電力供給が行われているときに前記異常検知処理を行い、
前記異常検知用の電力供給は、前記発光部を発光させない
請求項１に記載の照明装置。
【請求項３】
前記制御部は、定期的に前記異常検知処理を行う
請求項２に記載の照明装置。
【請求項４】
前記制御部は、前記電源回路によって前記発光部を発光させるための電力供給が行われているときに前記異常検知処理を行う
請求項１に記載の照明装置。
【請求項５】
前記発光部は、複数の発光素子が直列接続された発光素子群を複数有し、
複数の前記発光素子群は、並列接続され、
前記制御部は、前記異常検知処理において、複数の前記発光素子群のうち１つの発光素子群に流れる電流を計測する
請求項１〜４のいずれか１項に記載の照明装置。
【請求項６】
前記無線通信部は、前記異常検知処理によって前記発光部の異常が検知されなかった場合に、前記正常情報を送信し、
前記制御部は、前記正常情報の送信において前記無線通信部が前記無線通信に失敗した場合に、前記電源回路を制御することにより前記発光部を所定の態様で発光させる
請求項１〜５のいずれか１項に記載の照明装置。
【請求項７】
前記無線通信部は、他の照明装置の正常情報の中継を行い、
前記制御部は、前記中継において前記無線通信部が前記無線通信に失敗した場合に、前記電源回路を制御することにより前記発光部を前記所定の態様で発光させる
請求項６に記載の照明装置。
【請求項８】
前記無線通信部は、他の照明装置の異常情報の中継を行い、
前記制御部は、前記中継において前記無線通信部が前記無線通信に失敗した場合に、前記電源回路を制御することにより前記発光部を前記所定の態様で発光させる
請求項１〜６のいずれか１項に記載の照明装置。
【発明の詳細な説明】
【技術分野】
【０００１】
本発明は、発光ダイオード（ＬＥＤ：Ｌｉｇｈｔ  Ｅｍｉｔｔｉｎｇ  Ｄｉｏｄｅ）などの発光素子を用いた照明装置に関する。
【背景技術】
【０００２】
ＬＥＤは、高効率及び長寿命であることから、従来から知られる蛍光灯や白熱電球等の各種ランプにおける新しい光源として期待されており、ＬＥＤを用いたランプの研究開発が進められている。例えば、特許文献１には、電力線通信が可能なＬＥＤランプが開示されている。
【先行技術文献】
【特許文献】
【０００３】
【特許文献１】特開２０１５−１１８９０９号公報
【発明の概要】
【発明が解決しようとする課題】
【０００４】
ところで、自動車運搬船などの大きな乗り物の室内に、多数の照明装置が設置されるような場合、多数の照明装置のそれぞれが正常に動作しているかを管理することは容易ではない。
【０００５】
本発明は、異常が発生したことをユーザに通知することができる照明装置を提供する。
【課題を解決するための手段】
【０００６】
本発明の一態様に係る照明装置は、発光部と、前記発光部に電力供給を行う電源回路と、前記電源回路によって前記発光部に電力供給が行われているときに前記発光部の異常を検知するための異常検知処理を行う制御部と、前記異常検知処理の結果に基づいて、前記発光部の異常を示す異常情報及び前記発光部の正常を示す正常情報の少なくとも一方を送信する無線通信部とを備え、前記制御部は、前記無線通信部が無線通信に失敗した場合に、前記電源回路を制御することにより前記発光部を所定の態様で発光させる。
【発明の効果】
【０００７】
本発明の照明装置は、異常が発生したことをユーザに通知することができる。
【図面の簡単な説明】
【０００８】
【図１】図１は、実施の形態に係る照明システムの機能構成を示す図である。
【図２】図２は、自動車運搬船において使用される照明システムを示す図である。
【図３】図３は、実施の形態に係る照明装置の構成を示す外観斜視図である。
【図４】図４は、実施の形態に係る照明用光源の外観斜視図である。
【図５】図５は、実施の形態に係る発光装置の機能構成を示す図である。
【図６】図６は、実施の形態に係る照明装置の動作例１のフローチャートである。
【図７】図７は、実施の形態に係る照明装置の動作例２のフローチャートである。
【図８】図８は、実施の形態に係る照明装置の動作例３のフローチャートである。
【図９】図９は、変形例に係る照明装置の外観斜視図である。
【発明を実施するための形態】
【０００９】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略または簡略化される場合がある。
【００１１】
以下の実施の形態の図面においては、Ｚ軸方向は、例えば上下方向（鉛直方向）であり、Ｚ軸＋側は、上側または光出射側と記載される場合がある。また、Ｚ軸−側は、下側と記載される場合がある。また、Ｘ軸方向及びＹ軸方向は、Ｚ軸に垂直な平面（水平面）上において、互いに直交する方向である。
【００１２】
（実施の形態）
［照明システムの構成］
まず、実施の形態に係る照明システムの構成について説明する。図１は、実施の形態に係る照明システムの機能構成を示す図である。
【００１３】
図１に示されるように、照明システム３００は、複数の照明装置（照明装置１００、１００ａ、及び、１００ｂ）と、照明管理装置１５０とを備える。図１では、照明装置は３台しか図示されていないが、照明システム３００は、例えば、自動車運搬船の船内、または商業施設などの広大な建物内において使用される。このような場合、照明システム３００が備える照明装置の数は、例えば、数十台〜数百台程度となる。
【００１４】
照明システム３００において、複数の照明装置の各々は、当該照明装置が有する発光部の異常を検知する機能を有する。例えば、照明装置１００ａは、例えば、１日に１回、当該照明装置１００ａが有する発光部の異常検知処理を行う。照明装置１００ａは、異常検知処理によって発光部の異常が検知されたときには、照明装置１００ａの発光部が異常であることを示す異常情報を無線通信により送信する。
【００１５】
このとき、照明管理装置１５０から離れた位置に設置された照明装置１００ａは、照明管理装置１５０と直接無線通信を行うことができない。そこで、例えば、照明装置１００が、照明装置１００ａの異常情報の照明装置１００ｂへの中継を行う。このような中継が繰り返された後、照明装置１００ａの異常情報は、最終的には、照明管理装置１５０に受信される。これにより、複数の照明装置のそれぞれは、当該照明装置が備える発光部に異常が発生したことをユーザに通知することができる。
【００１６】
照明管理装置１５０は、パーソナルコンピュータまたはサーバ装置などの情報端末であり、照明システム３００に含まれる複数の照明装置の状態を管理する。照明管理装置１５０は、複数の照明装置のそれぞれの状態を示す状態情報を記憶部（図示せず）に記憶し、かつ、状態情報を画像として表示部（図示せず）に表示することができる。これにより、ユーザは、照明管理装置１５０を通じて、複数の照明装置の状態を管理することができる。
【００１７】
なお、異常情報を中継する複数の照明装置のうちいずれかの照明装置の無線通信機能に異常が発生することにより、照明管理装置１５０が異常情報を受信できなくなる場合がある。このような場合、照明システム３００においては、無線通信に失敗した照明装置の発光部が点滅する。これにより、照明システム３００は、無線通信に失敗した照明装置をユーザに通知することができる。
【００１８】
上述のような照明システム３００の用途は、特に限定されない。上述のように、照明システム３００は、例えば、自動車運搬船などの船舶において使用される。図２は、自動車運搬船において使用される照明システム３００の概要を示す図である。
【００１９】
自動車運搬船は、広大な船室内に自家用車などの車両が密集して積載される。車両が積載された後に照明装置を修理することは困難であるため、事前に多数の照明装置の状態が管理されていることが望まれる。したがって、照明システム３００のようなシステムが有用である。また、自動車運搬船は、客船としては取り扱われないため、乗組員の人数が制限される。したがって、照明システム３００のように、複数の照明装置の状態を１つの照明管理装置１５０で管理できるシステムが有用である。
【００２０】
［照明装置］
次に、照明装置１００の構成について説明する。図３は、照明装置１００の構成を示す外観斜視図である。なお、照明装置１００ａ及び照明装置１００ｂの構成は、照明装置１００と同様であるため説明が省略される。
【００２１】
図３に示されるように、照明装置１００は、２つの照明用光源１０と、本体部１１０とを備える。
【００２２】
本体部１１０は、天井に固定具によって取り付けられる。本体部１１０は、照明用光源１０と電気的に接続され、かつ、各々に照明用光源１０が取り付けられる２組のソケット１２０を備える。本体部１１０は、例えばアルミ鋼板をプレス加工等することによって形成することができる。また、本体部１１０の外面は、照明用光源１０が発した光を室内に向けて反射させる反射面となっている。
【００２３】
［照明用光源の構成］
次に、照明用光源１０の構成について説明する。図４は、照明用光源１０の外観斜視図である。
【００２４】
図４に示されるように、照明用光源１０は、直管形蛍光灯の代替照明として使用される直管ＬＥＤランプである。照明用光源１０は、発光装置２０と、カバー３０と、第１口金５１と、第２口金５２と、接着材６０とを備える。以下、各構成要素について詳細に説明する。
【００２５】
まず、カバー３０について説明する。カバー３０は、発光装置２０の少なくとも光出射側を覆う、透光性を有するカバーである。カバー３０は、Ｙ軸方向を高さ方向（長手方向）とする長尺円筒状であり、発光装置２０を収容する筐体としても機能する。また、カバー３０は、照明用光源１０の外郭の一部を構成する。
【００２６】
カバー３０の基材は、例えば、ガラスであるが、ポリカーボネートなどの樹脂材料であってもよい。カバー３０は、非分割型であるが、分割型であってもよい。
【００２７】
カバー３０は、発光装置２０からの光を拡散させるための光拡散機能を有してもよい。これにより、発光装置２０から発せられた光は、カバー３０を通過する際に拡散されるため、照明用光源１０の明るさの均一化が実現される。
【００２８】
例えば、カバー３０の内面及び外面の少なくとも一方には、光拡散膜が形成されてもよい。光拡散膜は、具体的には、シリカや炭酸カルシウム等の光拡散材（微粒子）を含有する乳白色の樹脂材料である。また、カバー３０の内部及び外部の少なくとも一方には、光を拡散するためのレンズ構造が設けられてもよいし、光を拡散するための凹凸構造が設けられてもよいし、光を拡散するためのドットパターンが印刷されてもよい。また、カバー３０の基材に、光拡散材が含まれてもよい。
【００２９】
次に、第１口金５１及び第２口金５２について説明する。第１口金５１及び第２口金５２は、照明用光源１０がソケット１２０を介して給電を受けるために、ソケット１２０に着脱自在に取り付けられる構造体である。第１口金５１及び第２口金５２のそれぞれは、例えば、絶縁性を有する樹脂によって形成される。第１口金５１及び第２口金５２のそれぞれは、略有底円筒形状（キャップ状）であり、第１口金５１は、カバー３０の一方の端部（Ｙ軸＋側の端部）を覆い、第２口金５２は、カバー３０の他方の端部（Ｙ軸−側の端部）を覆う。第１口金５１及び第２口金５２は、例えば、Ｇ１３口金等である。第１口金５１は、第１受電端子４１を有し、第２口金５２は、第２受電端子４２を有する。
【００３０】
第１受電端子４１及び第２受電端子４２のそれぞれは、導電性を有する１組の棒状金属材料によって形成される。第１受電端子４１及び第２受電端子４２は、照明用光源１０の外部から交流電力を受ける。
【００３１】
第１受電端子４１は、本体部１１０に設けられたソケット１２０に装着されることによって、発光装置２０を発光させるための交流電力を本体部１１０から受電する。第２受電端子４２についても同様である。第１受電端子４１は、例えば、正極端子であり、第２受電端子４２は、例えば、負極端子である。なお、第１受電端子４１及び第２受電端子４２が受電する交流電力は、電力系統から供給される交流電力と同様に、例えば、周波数が５０Ｈｚまたは６０Ｈｚの正弦波交流電力である。
【００３２】
このように、照明用光源１０は、両側給電方式であるが、片側給電方式であってもよい。片側給電方式の口金としては、日本電球工業会によって規格化されたＪＥＬ８０１に準拠したＬ形口金が例示される。この場合、第１受電端子４１及び第２受電端子４２の一方は、アースピンまたはアース機能を有しない取り付け用ピンとなる。
【００３３】
［発光装置］
次に、発光装置２０について、図４に加えて図５を参照しながら説明する。図５は、発光装置２０の機能構成を示す図である。
【００３４】
発光装置２０は、長尺状の基板２１に表面実装（ＳＭＤ：Ｓｕｒｆａｃｅ  Ｍｏｕｎｔ  Ｄｅｖｉｃｅ）型の発光素子２２ａが一列に配置されたＳＭＤ型の発光モジュールである。発光装置２０は、カバー３０に向けて光を発する。発光装置２０は、例えば、シリコーン樹脂などにより形成された接着材によって、カバー３０の内面に接着される。
【００３５】
図５に示されるように、発光装置２０は、発光部２２と、電源回路２３と、制御部２４と、無線通信部２５と、計時部２６と、記憶部２７と、抵抗２８ａと、ヒューズ２８ｂと、ダイオードブリッジ２８ｃとを備える。これらの構成要素は、基板２１に配置されるが、一部または全部が基板２１とは異なる部材に配置されてもよい。
【００３６】
発光部２２は、複数の発光素子２２ａが直列接続された発光素子群を複数有し、複数の発光素子群が並列接続されることにより形成される。図５の例では、６つの発光素子群が並列接続される。１つ発光素子群を構成する発光素子の数は、特に限定されないが、例えば、１８個である。
【００３７】
発光素子２２ａは、ＬＥＤチップと蛍光体とがパッケージ化された、いわゆるＳＭＤ型の発光素子であり、例えば、白色光を発する。発光素子２２ａは、例えば、凹部を有する樹脂製の容器と、凹部の中に配置（実装）されたＬＥＤチップと、凹部内に封入された封止部材（蛍光体含有樹脂）とを備える。複数の発光素子２２ａは、基板２１に配置（実装）され、基板２１上に形成された配線（図示せず）によって電気的に接続される。
【００３８】
電源回路２３は、本体部１１０（電力系統）から供給される交流電力を直流電力に変換し、変換後の直流電力を発光部２２に供給する。電源回路２３は、具体的には、発光部２２に一定の電流を供給する定電流駆動を行う。また、電源回路２３は、制御部２４、無線通信部２５、計時部２６、及び、記憶部２７にも直流電力を供給する。なお、電源回路２３は、発光部２２が消灯中であっても、制御部２４、無線通信部２５、計時部２６、及び、記憶部２７に直流電力を供給することができる回路構成を有する。
【００３９】
電源回路２３は、具体的には、例えば、４つのダイオードで構成されるブリッジ型全波整流回路などを含む回路により実現されるが、ＡＣ−ＤＣコンバータＩＣ及びＤＣ−ＤＣコンバータＩＣなどによって実現されてもよい。
【００４０】
電源回路２３は、ユーザによってリモートコントローラなどを介して行われる点灯指示を、例えば、有線通信によって取得すると、直流電力を発光部２２に供給する。これにより、発光部２２が点灯する。
【００４１】
また、電源回路２３は、制御部２４から異常検知用の電力供給の指示を取得すると、発光部２２を点灯させるための直流電力よりも少ない異常検知用の直流電力を発光部２２に供給する。電源回路２３は、具体的には、閾値電圧よりも低い直流電圧を発光部２２に供給する。閾値電圧は、例えば、１つの発光素子群に含まれる発光素子２２ａのそれぞれが発光を開始する順方向電圧（Ｖｆ）の合計である。これにより、制御部２４は、発光部２２を発光させずに発光部２２の異常検知処理を行うことができる。
【００４２】
また、電源回路２３は、無線通信部２５が無線通信に失敗した場合に、制御部２４の制御に基づいて発光部２２を通常の照明用途の発光とは異なる所定の態様で発光させる。電源回路２３は、具体的には、発光部２２を点滅させる。なお、電源回路２３が調光機能に対応しているような場合は、電源回路２３は、発光部２２を暗く発光させてもよい。電源回路２３は、ユーザが無線通信の失敗を認識できるように、通常の発光（点灯）とは異なる態様で発光部２２を発光させればよい。
【００４３】
制御部２４は、電源回路２３によって発光部２２に電力供給が行われているときに発光部２２の異常を検知するための異常検知処理を行う。制御部２４は、例えば、電源回路２３に異常検知用の電力供給を行わせ、異常検知用の電力供給が行われているときに発光部２２の異常検知処理を行う。また、制御部２４は、電源回路２３によって発光部２２を発光させるための電力供給（ユーザの点灯指示に基づく電力供給）が行われているときに発光部２２の異常検知処理を行ってもよい。
【００４４】
制御部２４による異常検知処理の内容は、特に限定されないが、実施の形態では、制御部２４は、異常検知処理において複数の発光素子群のうち１つの発光素子群に流れる電流を計測する。異常検知処理の詳細については後述される。
【００４５】
制御部２４は、異常検知処理によって発光部２２の異常が検知された場合に発光部２２の異常を示す異常情報を無線通信部２５に送信させる。また、制御部２４は、異常検知処理によって発光部２２の異常が検知されなかった場合に発光部２２の正常を示す正常情報を無線通信部２５に送信させる。
【００４６】
また、制御部２４は、無線通信部２５が無線通信に失敗した場合に、電源回路２３を制御することにより発光部２２を所定の態様で発光させる。無線通信の失敗には、無線通信による情報の受信に失敗した場合、及び、無線通信による情報の送信に失敗した場合の両方が含まれる。制御部２４は、具体的には、無線通信部２５が照明装置１００の正常情報の送信において無線通信に失敗した場合、または、無線通信部２５が照明装置１００の異常情報の送信に失敗した場合に、発光部２２を所定の態様で発光させる。また、制御部２４は、無線通信部２５が照明装置１００ａの異常情報の中継において無線通信に失敗した場合、または、照明装置１００ａの正常情報の中継において無線通信に失敗した場合に、発光部２２を所定の態様で発光させる。
【００４７】
制御部２４は、具体的には、マイクロコンピュータ、プロセッサ、または専用回路によって実現される。制御部２４は、マイクロコンピュータ、プロセッサ、または専用回路の組み合わせによって実現されてもよい。なお、電源回路２３及び制御部２４が調光機能に対応している場合、制御部２４は、チョッパ制御回路を含む。
【００４８】
無線通信部２５は、照明システム３００に含まれる他の照明装置と無線通信を行う。無線通信部２５は、例えば、異常検知処理によって発光部２２の異常が検知された場合に、制御部２４の制御に基づいて、発光部２２の異常を示す異常情報を照明装置１００ｂに送信する。また、無線通信部２５は、異常検知処理によって発光部２２の異常が検知されなかった場合に、制御部２４の制御に基づいて、発光部２２の正常を示す正常情報を照明装置１００ｂに送信する。
【００４９】
なお、照明装置１００が照明管理装置１５０の近傍に設置されているような場合、無線通信部２５は、異常情報または正常情報を照明管理装置１５０に直接送信する場合もある。
【００５０】
また、異常情報及び正常情報の両方が送信されることは必須ではない。例えば、無線通信部２５が異常情報のみを送信することにより、照明管理装置１５０は、異常情報が受信されなかった照明装置１００が正常であると判断できる。同様に、無線通信部２５が正常情報のみを送信することにより、照明管理装置１５０は、正常情報が受信されなかった照明装置１００を異常であると判断できる。このように、無線通信部２５は、異常検知処理の結果に基づいて、発光部２２の異常を示す異常情報及び発光部２２の正常を示す正常情報の少なくとも一方を送信すればよい。
【００５１】
また、無線通信部２５は、照明装置１００ａの正常情報の、照明装置１００ａから照明装置１００ｂへの中継を行う。同様に、無線通信部２５は、照明装置１００ａの異常情報の、当該一の照明装置１００ａから他の照明装置１００ｂへの中継を行う。なお、照明装置１００が照明管理装置１５０の近傍に設置されているような場合、無線通信部２５は、照明装置１００ａの異常情報または正常情報を照明管理装置１５０に中継する場合もある。
【００５２】
無線通信部２５は、光よりも周波数が低い電波を用いて無線通信を行ってもよいし、赤外線などの光を用いた無線通信を行ってもよい。無線通信部２５は、例えば、特定小電力無線、ｂｌｕｅｔｏｏｔｈ（登録商標）、ＺｉｇＢｅｅ（登録商標）、または無線ＬＡＮ（例えば、Ｗｉ−Ｆｉ（登録商標））などの通信規格に対応した通信モジュール（通信回路）である。赤外線により通信を行う通信モジュールであってもよいし、微弱無線通信を行うＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）モジュールであってもよい。
【００５３】
計時部２６は、時間を計測し、制御部２４に通知する。計時部２６は、単位時間ごとに、当該単位時間が経過したことを示すタイマ信号を制御部２４に通知する。これにより、制御部２４は、時間を計測することができる。計時部２６は、具体的には、汎用のタイマＩＣ（タイマ回路）である。なお、計時部２６は、制御部２４の一部として実現されてもよい。
【００５４】
記憶部２７は、半導体メモリなどの記憶装置である。記憶部２７には、異常検知処理に用いられる上限値及び下限値が記憶される。なお、記憶部２７には、異常検知用の電力供給が行われた場合の異常検知処理に用いられる第１上限値及び第１下限値と、発光部２２を発光させるための電力供給が行われた場合の異常検知処理に用いられる第２上限値及び第２下限値との２種類が記憶される。記憶部２７には、その他に、制御部２４がプロセッサとして実現される場合に当該プロセッサにより実行されるプログラムなども記憶される。なお、記憶部２７は、制御部２４の一部として実現されてもよい。
【００５５】
抵抗２８ａは、電源回路２３の出力に取り付けられる、回路保護用の抵抗である。
【００５６】
ヒューズ２８ｂは、回路に過電流が流れた場合に、回路を開放することによって保護する保護素子である。
【００５７】
ダイオードブリッジ２８ｃは、電源回路２３から出力される直流電力をさらに整流する回路である。
【００５８】
なお、以上説明した抵抗２８ａ、ヒューズ２８ｂ、及び、ダイオードブリッジ２８ｃなどの回路部品は必須でない。
【００５９】
［発光部の異常検知処理］
次に、制御部２４によって行われる発光部２２の異常検知処理について説明する。上述のように、発光部２２は、複数の発光素子が直列接続された発光素子群を６つ有し、６つの発光素子群は、並列接続されている。制御部２４は、異常検知処理において、６つの発光素子群の全てについて電流を計測してもよい。しかしながら、実施の形態では、制御部２４は、異常検知処理において、６つの発光素子群のうち１つの発光素子群のみを計測対象とし、当該発光素子群に流れる電流を計測する。
【００６０】
計測対象の発光素子群に含まれる発光素子２２ａがオープン不良、つまり、計測対象の発光素子群に含まれる１以上の発光素子２２ａにおいてカソードとアノードとがオープン状態である場合、計測対象の発光素子群に流れる電流は、ほぼ０となる。つまり、制御部２４は、電流値がほぼ０であるときに、発光部２２に異常があると判定することができる。制御部２４は、具体的には、記憶部２７に記憶された下限値（第１下限値または第２下限値）を参照し、計測した電流値が参照した上限値よりも高いときに、発光部２２に異常があると判定することができる。
【００６１】
計測対象の発光素子群に含まれる発光素子２２ａがショート不良である場合、つまり、計測対象の発光素子群に含まれる１以上の発光素子２２ａにおいてカソードとアノードとがショート状態である場合、計測対象の発光素子群に流れる電流は、通常よりも多くなる。つまり、制御部２４は、電流値が通常よりも高いときに、発光部２２に異常があると判定することができる。制御部２４は、具体的には、記憶部２７に記憶された上限値（第１上限値または第２上限値）を参照し、計測した電流値が参照した上限値よりも高いときに、発光部２２に異常があると判定することができる。
【００６２】
計測対象外の発光素子群に含まれる発光素子２２ａがオープン不良である場合、当該発光素子２２ａを含む発光素子群に電流が流れなくなることから、計測対象の発光素子群に流れる電流は、通常よりも多くなる。したがって、この場合も、制御部２４は、計測した電流値が参照した上限値よりも高いか否かに基づいて発光部２２の異常を検知することができる。
【００６３】
計測対象外の発光素子群に含まれる発光素子２２ａがショート不良である場合、当該発光素子２２ａを含む発光素子群に集中的に電流が流れることから、計測対象の発光素子群に流れる電流は、通常よりも少なくなる。したがって、この場合も、制御部２４は、計測した電流値が参照した下限値よりも低いか否かに基づいて発光部２２の異常を検知することができる。
【００６４】
［照明装置の動作例１］
次に、照明システム３００における照明装置１００の動作例１について説明する。図６は、照明装置１００の動作例１のフローチャートである。
【００６５】
照明装置１００の制御部２４は、計時部２６からタイマ信号を取得することにより（Ｓ１１）、所定時間が経過したか否かを判定する（Ｓ１２）。所定時間は、例えば、２４時間である。制御部２４は、所定時間が経過していないと判定した場合（Ｓ１２でＮｏ）、所定時間が経過するまでタイマ信号の取得を継続する（Ｓ１１）。
【００６６】
所定時間が経過したと判断した場合（Ｓ１２でＹｅｓ）、発光部２２が発光中であるか否かを判定する（Ｓ１３）。発光部２２が発光中であるか否かの判定は、例えば、計測対象の発光素子群に電流が流れているか否かに基づいて行われるが、電源回路２３の出力を検知する方法など、その他の方法が用いられてもよい。
【００６７】
発光部２２が発光中でないと判定された場合（Ｓ１３でＮｏ）、制御部２４は、電源回路２３に異常検知用の電力供給を行わせ（Ｓ１４）、異常検知用の電力供給が行われているときに発光部２２の異常検知処理を行う（Ｓ１５）。制御部２４は、具体的には、計測対象の発光素子群に流れる電流値を計測し、かつ、記憶部２７に記憶された第１上限値及び第１下限値を読み出す。計測した電流値が第１下限値以上であって、かつ、第１上限値以下であると判定された場合、制御部２４は、発光部２２が正常であると検知（判定）する（Ｓ１５で異常なし）。計測した電流値が第１下限値よりも低い、または、第１上限値よりも高いと判定された場合、制御部２４は、発光部２２が異常であると検知（判定）する（Ｓ１５で異常あり）。
【００６８】
発光部２２が発光中であると判定された場合（Ｓ１３でＹｅｓ）、制御部２４は、電源回路２３に異常検知用の電力供給を行わせることなく、発光部２２の異常検知処理を行う（Ｓ１５）。言い換えれば、制御部２４は、電源回路２３によって発光部２２を発光させるための電力供給が行われているときに発光部２２の異常検知処理を行う。制御部２４は、具体的には、計測対象の発光素子群に流れる電流値を計測し、かつ、記憶部２７に記憶された第２上限値及び第２下限値を読み出す。計測した電流値が第２下限値以上であって、かつ、第２上限値以下である場合、制御部２４は、発光部２２が正常であると検知する（Ｓ１５で異常なし）。計測した電流値が第２下限値よりも低い、または、第２上限値よりも高い場合、制御部２４は、発光部２２が異常であると検知する（Ｓ１５で異常あり）。
【００６９】
ステップＳ１５において発光部２２の異常が検知された場合（Ｓ１５で異常あり）、制御部２４は、無線通信部２５に異常情報を送信させる。言い換えれば、無線通信部２５は、発光部２２の異常が検知された場合に、発光部２２の異常を示す異常情報を送信する（Ｓ１６）。この場合、動作は終了となる。
【００７０】
一方、ステップＳ１５において発光部２２の異常が検知されない場合（Ｓ１５で異常なし）、制御部２４は、無線通信部２５に正常情報を送信させる。言い換えれば、無線通信部２５は、発光部２２の異常が検知されなかった場合に、発光部２２の正常を示す正常情報を送信する（Ｓ１７）。
【００７１】
次に、制御部２４は、正常情報の送信における無線通信が失敗したか否かを判定する（Ｓ１８）。制御部２４は、例えば、正常情報の送信自体に失敗した場合、または、正常情報の送信後、送信先の照明装置から送信に対する応答が得られなかった場合などに、無線通信が失敗であると判定し（Ｓ１８でＹｅｓ）、発光部２２を所定の態様で発光させる（Ｓ１９）。つまり、制御部２４は、正常情報の送信において無線通信部２５が無線通信に失敗した場合に、電源回路２３を制御することにより発光部２２を所定の態様で発光させる。制御部２４は、具体的には、発光部２２を点滅させる。
【００７２】
制御部２４は、例えば、正常情報の送信に成功し、かつ、正常情報の送信後、送信先の照明装置から送信に対する応答が得られた場合に、無線通信が成功であると判定し（Ｓ１８でＮｏ）、動作は終了となる。
【００７３】
以上、照明装置１００の動作例１について説明した。動作例１によれば、照明装置１００は、発光部２２の異常検知処理を定期的に行い、発光部２２に異常が発生したことを異常情報の送信によってユーザに通知することができる。また、照明装置１００は、無線通信部２５が無線通信に失敗した場合には、発光部２２を所定の発光態様で発光させることにより、無線通信に異常が発生したことをユーザに通知することができる。
【００７４】
なお、無線通信部２５が異常情報を送信した場合にも、ステップＳ１８の処理、及び、ステップＳ１９の処理が行われてもよい。しかしながら、図８のフローチャートでは、無線通信部２５が異常情報を送信した場合には、ステップＳ１８の処理、及び、ステップＳ１９の処理は行われない。つまり、制御部２４は、異常情報の送信において無線通信部２５が無線通信に失敗した場合には、電源回路２３を制御することにより発光部２２を所定の態様で発光させない。
【００７５】
これは、異常情報を送信する場合には、発光部２２に異常が生じていると考えられるため、発光部２２を使用しないほうがよいと考えられるからである。同様の理由で、ステップＳ１５で発光部２２が異常であると検知された場合、制御部２４は、電源回路２３を制御することにより発光部２２を消灯させてもよい。
【００７６】
［照明装置の動作例２］
次に、照明システム３００における照明装置１００の動作例２について説明する。図７は、照明装置１００の動作例２のフローチャートである。
【００７７】
動作例１では、制御部２４は、定期的に（例えば、２４時間ごとに）、発光部２２の異常検知処理を行ったが、このような動作は一例である。例えば、制御部２４は、以下の動作例２のように、ユーザが点灯指示を行うごとに、発光部２２の異常検知処理を行ってもよい。なお、以下の動作例２の説明では、動作例１で既に説明された内容については適宜省略される。
【００７８】
ユーザが点灯指示を行うと、発光部２２は発光する。そこで、制御部２４は、発光部２２が発光中であるか否かを判定する（Ｓ１３）。
【００７９】
発光部２２が発光中でないと判定された場合（Ｓ１３でＮｏ）は、発光部２２が発光中であるか否かの判定（検出）が継続される（Ｓ１３）。発光部２２が発光中であると判定された場合（Ｓ１３でＹｅｓ）、制御部２４は、発光部２２の異常検知処理を行う（Ｓ１５）。制御部２４は、計測した電流値が第２下限値以上であって、かつ、第２上限値以下である場合、制御部２４は、発光部２２が正常であると検知する（Ｓ１５で異常なし）。計測した電流値が第２下限値よりも低い、または、第２上限値よりも高い場合、制御部２４は、発光部２２が異常であると検知する（Ｓ１５で異常あり）。以降は、動作例１と同様の動作となる。
【００８０】
このように、制御部２４は、ユーザが点灯指示を行うごとに、発光部２２の異常検知処理を行ってもよい。動作例２によれば、照明装置１００は、発光部２２の異常検知処理を照明装置１００が点灯されるごとに検知し、異常が発生したことを異常情報の送信によってユーザに通知することができる。
【００８１】
［照明装置の動作例３］
次に、照明システム３００における照明装置１００の動作例３について説明する。図８は、照明装置１００の動作例３のフローチャートである。
【００８２】
上記動作例１及び２では、制御部２４は、照明装置１００自身の異常情報及び正常情報の送信において無線通信部２５が無線通信に失敗した場合に、発光部２２を所定の態様で発光させた。これに対し、動作例３では、他の照明装置１００ａの異常情報及び正常情報の中継において無線通信部２５が無線通信に失敗した場合に、発光部２２を所定の態様で発光させる例について説明する。なお、以下の動作例３の説明では、動作例１及び動作例２で既に説明された内容については適宜省略される。
【００８３】
まず、無線通信部２５は、他の照明装置１００ａの異常情報または正常情報を受信する（Ｓ２１）。そして、無線通信部２５は、受信した異常情報または正常情報を別の照明装置１００ｂに送信する（Ｓ２２）。つまり、無線通信部２５は、他の照明装置１００ａの異常情報または正常情報の中継を行う。
【００８４】
次に、制御部２４は、中継における無線通信が失敗したか否かを判定する（Ｓ１８）。制御部２４は、例えば、異常情報または正常情報の送信自体に失敗した場合、及び、異常情報または正常情報の送信後、送信先の照明装置１００ｂから送信に対する応答が得られなかった場合などに、無線通信が失敗であると判定する（Ｓ１８でＹｅｓ）。そして、制御部２４は、発光部２２を所定の態様で発光させる（Ｓ１９）。つまり、制御部２４は、異常情報または正常情報の中継において無線通信部２５が無線通信に失敗した場合に、電源回路２３を制御することにより発光部２２を所定の態様で発光させる。
【００８５】
異常情報または正常情報の中継に成功した場合には、制御部２４は、無線通信が成功であると判定し（Ｓ１８でＮｏ）、動作は終了となる。
【００８６】
以上、照明装置１００の動作例３について説明した。動作例３によれば、照明装置１００は、無線通信部２５が異常情報または正常情報の中継において無線通信に失敗した場合に、発光部２２を所定の発光態様で発光させることにより、無線通信に異常が発生したことをユーザに通知することができる。
【００８７】
なお、異常情報または正常情報の中継においては、より具体的には、マルチホップ通信などの技術が用いられる。
【００８８】
［照明装置の変形例］
上記実施の形態で説明された照明装置１００（照明用光源１０）の構成は、一例である。例えば、上記実施の形態では、照明用光源１０は、第１口金５１及び第２口金５２によって本体部１１０に取り付けられたが、照明用光源１０は、コネクタによって本体部１１０に取り付けられてもよい。以下、このような変形例に係る照明装置について説明する。図９は、変形例に係る照明装置の外観斜視図である。
【００８９】
図９に示されるように、照明装置２００は、照明用光源１０ａと、本体部２１０とを備える。
【００９０】
本体部２１０は、天井に固定具によって取り付けられる。本体部２１０は、照明用光源１０ａが埋設される凹部２２０を有する。例えば、照明用光源１０ａが有する金具（図示せず）が、凹部２２０の内面に形成された孔と係合することで、照明用光源１０ａが本体部２１０に着脱自在可能に取り付けられる。また、本体部２１０から延設された電線の端部にはコネクタ２４０が設けられている。
【００９１】
照明用光源１０ａは、発光装置２０と筐体３０ａとを備える。筐体３０ａは、かまぼこ形の筐体であって、発光装置２０を収容する。筐体３０ａのうち発光装置２０の光出射側を覆う部分（湾曲した部分）は、カバーの一例であり、この部分は、ポリカーボネートなどの樹脂、または、ガラスなど透光性を有する材料によって形成される。この部分は、上記実施の形態で説明したような光拡散構造を有することにより、光拡散性を有してもよい。
【００９２】
筐体３０ａから延設された電線の端部にはコネクタ４０が設けられている。コネクタ４０がコネクタ２４０と嵌め合わされることで、本体部２１０から発光装置２０（照明用光源１０ａ）への交流電力の供給が可能となる。このように、コネクタ４０内の端子には、外部から交流電力を受ける第１受電端子及び第２受電端子が含まれる。
【００９３】
以上、変形例に係る照明装置２００及び照明用光源１０ａについて説明した、このような照明装置２００及び照明用光源１０ａも本発明に含まれる。
【００９４】
［効果等］
以上説明したように、照明装置１００は、発光部２２と、発光部２２に電力供給を行う電源回路２３と、電源回路２３によって発光部２２に電力供給が行われているときに発光部２２の異常を検知するための異常検知処理を行う制御部２４と、異常検知処理の結果に基づいて、発光部２２の異常を示す異常情報及び発光部２２の正常を示す正常情報の少なくとも一方を送信する無線通信部２５とを備える。制御部２４は、無線通信部２５が無線通信に失敗した場合に、電源回路２３を制御することにより発光部２２を所定の態様で発光させる。
【００９５】
これにより、照明装置１００は、発光部２２に異常が発生したことを異常情報及び正常情報の少なくとも一方の送信によってユーザに通知することができる。また、照明装置１００は、無線通信部２５が無線通信に失敗した場合には、発光部２２を所定の発光態様で発光させることにより、無線通信に異常が発生したことをユーザに通知することができる。
【００９６】
また、制御部２４は、電源回路２３に異常検知用の電力供給を行わせ、異常検知用の電力供給が行われているときに異常検知処理を行い、異常検知用の電力供給は、発光部２２を発光させなくてもよい。
【００９７】
これにより、発光部２２を発光させずに発光部２２の異常検知処理を行うことができる。
【００９８】
また、制御部２４は、定期的に異常検知処理を行ってもよい。
【００９９】
これにより、制御部２４は、発光部２２の異常検知処理を定期的に行うことができる。
【０１００】
また、制御部２４は、電源回路２３によって発光部２２を発光させるための電力供給が行われているときに異常検知処理を行ってもよい。
【０１０１】
これにより、制御部２４は、発光部２２が発光している期間を利用して、発光部２２の異常検知処理を行うことができる。
【０１０２】
また、発光部２２は、複数の発光素子２２ａが直列接続された発光素子群を複数有し、複数の発光素子群は、並列接続されてもよい。制御部２４は、異常検知処理において、複数の発光素子群のうち１つの発光素子群に流れる電流を計測してもよい。
【０１０３】
これにより、制御部２４は、複数の発光素子群のうち１つの発光素子群に流れる電流を計測することにより、発光部２２の異常検知処理を行うことができる。
【０１０４】
また、無線通信部２５は、異常検知処理によって発光部２２の異常が検知されなかった場合に、正常情報を送信し、制御部２４は、正常情報の送信において無線通信部２５が無線通信に失敗した場合に、電源回路２３を制御することにより発光部２２を所定の態様で発光させてもよい。
【０１０５】
これにより、照明装置１００は、照明装置１００の正常情報の送信において無線通信部２５が無線通信に失敗したことをユーザに通知することができる。
【０１０６】
また、無線通信部２５は、他の照明装置１００ａの正常情報の中継を行い、制御部２４は、中継において無線通信部２５が無線通信に失敗した場合に、電源回路２３を制御することにより発光部２２を所定の態様で発光させてもよい。
【０１０７】
これにより、照明装置１００は、照明装置１００ａの正常情報の中継において無線通信部２５が無線通信に失敗したことをユーザに通知することができる。
【０１０８】
また、無線通信部２５は、他の照明装置１００ａの異常情報の中継を行い、制御部２４は、中継において無線通信部２５が無線通信に失敗した場合に、電源回路２３を制御することにより発光部２２を所定の態様で発光させてもよい。
【０１０９】
これにより、照明装置１００は、照明装置１００ａの異常情報の中継において無線通信部２５が無線通信に失敗したことをユーザに通知することができる。
【０１１０】
（その他の実施の形態）
以上、実施の形態に係る照明装置について説明したが、本発明は、このような実施の形態に限定されるものではない。
【０１１１】
例えば、上記実施の形態では、直管ＬＥＤランプに用いられる発光装置について説明が行われた。しかしながら、本発明は、電球形ランプなどの他の照明用光源に用いられる発光装置として実現されてもよいし、ダウンライト、または、光源が取り外しできない光源一体型の照明装置などの他の照明装置に用いられる発光装置として実現されてもよい。また、他の照明用光源及び他の照明装置に用いられる発光装置が備える基板の形状は、適宜定められればよい。つまり、基板の形状は長尺状に限定されない。
【０１１２】
また、上記実施の形態においては、発光素子としてＳＭＤ型のＬＥＤ素子が用いられた。しかしながら、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子が発光素子として用いられてもよい。
【０１１３】
また、上記実施の形態においては、発光装置は、ＳＭＤ型であったが、発光装置は、ＣＯＢ（Ｃｈｉｐ  Ｏｎ  Ｂｏａｒｄ）型であってもよい。
【０１１４】
また、上記実施の形態においては、照明装置が有する発光素子の全てが１つの基板に配置されたが、照明装置が有する発光素子は、複数の基板に分かれて配置されてもよい。また、電源回路、制御部、及び、無線通信部などの構成要素が、発光素子と同一の基板に配置されることは必須ではない。例えば、一部の構成要素が本体部に設けられてもよく、各構成要素は、照明装置内のどこかに配置されればよい。
【０１１５】
また、上記実施の形態において、発光装置は、青色光を発するＬＥＤと黄色蛍光体粒子を含有する蛍光体含有樹脂とを用いて白色光を出射したが、発光装置は、このような構成に限定されるものではない。発光装置は、例えば、青色光を発するＬＥＤと、赤色蛍光体粒子及び緑色蛍光体粒子を含有する蛍光体含有樹脂とを用いて白色光を出射してもよい。
【０１１６】
また、青色光を発するＬＥＤに代えて、青色光以外の光を発するＬＥＤが用いられてもよい。発光装置は、例えば、紫外光を発するＬＥＤチップと、紫外光によって励起されて三原色（赤色、緑色、青色）に発光する各色蛍光体粒子を含有する蛍光体含有樹脂とを用いて白色光を出射してもよい。発光装置には、蛍光体粒子以外の波長変換材が用いられてもよく、例えば、波長変換材として、半導体、金属錯体、有機染料、顔料など、ある波長の光を吸収し、吸収した光とは異なる波長の光を発する物質を含んでいる材料が用いられてもよい。
【０１１７】
以上、一つまたは複数の態様に係る照明装置について、実施の形態及び変形例に基づいて説明したが、本発明は、上記実施の形態及び変形例に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【０１１８】
例えば、本発明は、上記実施の形態に係る照明システム、照明用光源、または発光装置などとして実現されてもよい。
【符号の説明】
【０１１９】
２２  発光部
２２ａ  発光素子
２３  電源回路
２４  制御部
２５  無線通信部
１００、１００ａ、１００ｂ、２００  照明装置
【図１】
2018010733.tif 000003
【図２】
2018010733.tif 000004
【図３】
2018010733.tif 000005
【図４】
2018010733.tif 000006
【図５】
2018010733.tif 000007
【図６】
2018010733.tif 000008
【図７】
2018010733.tif 000009
【図８】
2018010733.tif 000010
【図９】
2018010733.tif 000011